(57)【要約】【課題】通話中に、一方の携帯電話が単純な操作で、かつ短時間に他方の携帯電話の画面に所望の情報を表示させる方法を提供する。【解決手段】電話網（３０）と、該電話網を介して通話可能な２つの携帯電話（１０，２０）と、を備える携帯電話システム（１００）において、前記２つの携帯電話が通話中の状態に該２つの携帯電話の一方が他方に所定の情報を表示させる方法であって、前記一方の携帯電話が前記他方の携帯電話に信号を送るステップ（Ｓ５，Ｓ６）と、前記他方の携帯電話が、前記一方の携帯電話より受け取った前記信号を基にダイアルコードを再生するステップ（Ｓ６）と、前記他方の携帯電話が、前記再生したダイアルコードに対応する情報を取得するステップ（Ｓ７）と、前記他方の携帯電話が、前記取得した情報を自身のディスプレイ装置に表示させるステップ（Ｓ８）と、を含む。【選択図】図５
2009260858.tif 000002
【特許請求の範囲】
【請求項１】
電話網と、該電話網を介して通話可能な２つの携帯電話と、を備える携帯電話システムであって、
前記２つの携帯電話はそれぞれディスプレイ装置および情報表示手段を有し、該情報表示手段は、
前記ディスプレイ装置に表示可能な情報の一覧を、それぞれダイアルコードに関連付けた状態で格納している情報記憶手段と、
通話先の携帯電話より受信した信号を基に、ダイアルコードを再生するダイアルコード再生手段と、
前記情報記憶手段にアクセスして、前記再生したダイアルコードに対応する情報を取得する情報取得手段と、
前記取得した情報を前記ディスプレイ装置に表示させるディスプレイ手段と、
を備え、
前記情報表示手段は、前記２つの携帯電話が通話中の状態に、前記通話先の携帯電話より受信した前記信号に応じて動作することを特徴とする携帯電話システム。
【請求項２】
前記ディスプレイ手段は、前記情報記憶手段に格納された前記情報の一覧を前記ディスプレイ装置に表示させる機能を有することを特徴とする請求項１に記載の携帯電話システム。
【請求項３】
前記情報は、テキストデータと、静止画像データと、動画像データと、音声データと、を含むことを特徴とする請求項１または２に記載の携帯電話システム。
【請求項４】
前記通話先の携帯電話より受信した前記信号は、ＤＴＭＦ信号であることを特徴とする請求項１ないし３の何れか一項に記載の携帯電話システム。
【請求項５】
ディスプレイ装置および情報表示手段を備えた携帯電話であって、
前記情報表示手段は、
前記ディスプレイ装置に表示可能な情報の一覧を、それぞれダイアルコードに関連付けた状態で格納している情報記憶手段と、
通話先の携帯電話より受信した信号を基に、ダイアルコードを再生するダイアルコード再生手段と、
前記情報記憶手段にアクセスして、前記再生したダイアルコードに対応する情報を取得する情報取得手段と、
前記取得した情報を前記ディスプレイ装置に表示させるディスプレイ手段と、
を備え、
前記情報表示手段は、前記通話先の携帯電話より受信した前記信号に応じて動作することを特徴とする携帯電話。
【請求項６】
前記ディスプレイ手段は、前記情報記憶手段に格納された前記情報の一覧を前記ディスプレイ装置に表示させる機能を有することを特徴とする請求項５に記載の携帯電話。
【請求項７】
前記情報は、テキストデータと、静止画像データと、動画像データと、音声データと、を含むことを特徴とする請求項５または６に記載の携帯電話。
【請求項８】
前記通話先の携帯電話より受信した前記信号は、ＤＴＭＦ信号であることを特徴とする請求項５ないし７の何れか一項に記載の携帯電話。
【請求項９】
電話網と、該電話網を介して通話可能な２つの携帯電話と、を備える携帯電話システムにおいて、前記２つの携帯電話が通話中の状態に該２つの携帯電話の一方が他方に所定の情報を表示させる方法であって、
前記一方の携帯電話が前記他方の携帯電話に信号を送るステップと、
前記他方の携帯電話が、前記一方の携帯電話より受け取った前記信号を基に、ダイアルコードを再生するステップと、
前記他方の携帯電話が、前記再生したダイアルコードに対応する情報を取得するステップと、
前記他方の携帯電話が、前記取得した情報を自身のディスプレイ装置に表示させるステップと、
を含むことを特徴とする表示方法。
【請求項１０】
前記２つの携帯電話は、表示可能な情報の一覧を、それぞれダイアルコードに関連付けた状態で格納する情報記憶手段を有し、
前記情報を取得するステップにおいて、前記他方の携帯電話は、自身の前記情報記憶手段より前記ダイアルコードに関連した前記情報を取得することを特徴とする請求項９に記載の表示方法。
【請求項１１】
前記信号を送るステップの前に、
前記一方の携帯電話が、自身のディスプレイ装置に自身の前記情報記憶手段に格納された前記情報の一覧を表示させるステップと、
前記一方の携帯電話が、前記表示させた情報の一覧から所望の情報を選択するステップと、
前記一方の携帯電話が、前記選択した情報に対応する前記信号を生成するステップと、をさらに含むことを特徴とする請求項１０に記載の表示方法。
【請求項１２】
前記情報は、テキストデータと、静止画像データと、動画像データと、音声データと、を含むことを特徴とする請求項９ないし１１の何れか一項に記載の表示方法。
【請求項１３】
前記一方の携帯電話が前記他方の携帯電話に送る前記信号は、ＤＴＭＦ信号であることを特徴とする請求項９ないし１２の何れか一項に記載の表示方法。
【請求項１４】
請求項９ないし１３の何れか一項に記載の表示方法を、前記２つの携帯電話に実行させることを特徴とするプログラム。
【発明の詳細な説明】
【技術分野】
【０００１】
本発明は、通話中に一方の携帯電話が他方の携帯電話の画面に所望の情報を表示させる方法と、その方法を実行する携帯電話システムと、その携帯電話システムを構成する携帯電話と、上記方法を携帯電話に実行させるプログラムに関する。
【背景技術】
【０００２】
現行の携帯電話は、単に電話として機能する以外に、テキストや画像等の様々な情報を送受信する携帯端末として機能する（特許文献１および２を参照）。そして、このような多種の機能を提供する携帯電話は、コミュニケーションツールやビジネスツールとして今や不可欠な存在となっている。
【０００３】
さらに、携帯電話では、アバターと呼ばれるキャラクタ画像を転送することも可能である（特許文献３を参照）。これらのアバターを使うことによって、実世界のコミュニケーションと同じように表情や動作による豊かな表現が可能となった。
【０００４】
電話で通話する場合に通話先の相手に言い難い話をしなくてはならない場合が多々ある。その時に適切なアバターを通話先の携帯電話に送ればその場の雰囲気がなごみ、相手とのコミュニケーションが容易になる。
【特許文献１】特開２００４−３４９８５１
【特許文献２】特開２００６−２２９８８５
【特許文献３】特開２００６−１４０８７１
【発明の開示】
【発明が解決しようとする課題】
【０００５】
しかし、携帯電話は汎用コンピュータなどに比べると通信速度が遅いため、動画像等の容量の大きい情報を転送する場合には相当の時間を要する。また、携帯電話のユーザが移動中の場合には、その携帯電話の電波状態が常時変動するため通信が不安定となり、情報を送れない可能性が生じる。
【０００６】
さらに、携帯電話はそのコンパクト性ゆえに操作ボタンやディスプレイが小さく、かつ多数の機能を実現するために１つの操作ボタンに複数の文字や役割を割り当てているため、その操作が複雑となっている。そのため、操作に不慣れなユーザがこれらの機能を使用する場合にはかなりの手間と時間を要する。結果として、携帯電話の優れた利便性を認識しているにも関わらず、その機能の使用を諦めてしまっているユーザも少なくない。
【０００７】
本発明は上記のような不都合を考慮して創案されたものであり、本発明の課題は、携帯電話で通話中に、単純な操作で、かつ短時間に通話先の携帯電話の画面に所望の情報を表示させる方法と、その方法を実行する携帯電話システムと、その携帯電話システムを構成する携帯電話と、上記方法を携帯電話に実行させるプログラムを提供することである。
【課題を解決するための手段】
【０００８】
前記課題を解決するために創案された請求項１の発明は、電話網と、該電話網を介して通話可能な２つの携帯電話と、を備える携帯電話システムであって、前記２つの携帯電話はそれぞれディスプレイ装置および情報表示手段を有し、該情報表示手段は、（ａ）前記ディスプレイ装置に表示可能な情報の一覧を、それぞれダイアルコードに関連付けた状態で格納している情報記憶手段と、（ｂ）通話先の携帯電話より受信した信号を基にダイアルコードを再生するダイアルコード再生手段と、（ｃ）前記情報記憶手段にアクセスして、前記再生したダイアルコードに対応する情報を取得する情報取得手段と、（ｄ）前記取得した情報を前記ディスプレイ装置に表示させるディスプレイ手段と、を備え、前記情報表示手段は、前記２つの携帯電話が通話中の状態に、前記通話先の携帯電話より受信した前記信号に応じて動作することを特徴とする。
【０００９】
前記課題を解決するために創案された請求項２の発明は、請求項１に記載の携帯電話システムにおいて、前記ディスプレイ手段は、前記情報記憶手段に格納された前記情報の一覧を前記ディスプレイ装置に表示させる機能を有することを特徴とする。
【００１０】
前記課題を解決するために創案された請求項３の発明は、請求項１または２に記載の携帯電話システムにおいて、前記情報は、テキストデータと、静止画像データと、動画像データと、音声データと、を含むことを特徴とする。
【００１１】
前記課題を解決するために創案された請求項４の発明は、請求項１ないし３の何れか一項に記載の携帯電話システムにおいて、前記通話先の携帯電話より受信した前記信号は、ＤＴＭＦ信号であることを特徴とする。
【００１２】
前記課題を解決するために創案された請求項５の発明は、ディスプレイ装置および情報表示手段を備えた携帯電話であって、前記情報表示手段は、（ｅ）前記ディスプレイ装置に表示可能な情報の一覧を、それぞれダイアルコードに関連付けた状態で格納している情報記憶手段と、（ｆ）通話先の携帯電話より受信した信号を基にダイアルコードを再生するダイアルコード再生手段と、（ｇ）前記情報記憶手段にアクセスして、前記再生したダイアルコードに対応する情報を取得する情報取得手段と、（ｈ）前記取得した情報を前記ディスプレイ装置に表示させるディスプレイ手段と、を備え、
前記情報表示手段は、前記通話先の携帯電話より受信した前記信号に応じて動作することを特徴とする。
【００１３】
前記課題を解決するために創案された請求項６の発明は、請求項５に記載の携帯電話であって、前記ディスプレイ手段は、前記情報記憶手段に格納された前記情報の一覧を前記ディスプレイ装置に表示させる機能を有することを特徴とする。
【００１４】
前記課題を解決するために創案された請求項７の発明は、請求項５または６に記載の携帯電話であって、前記情報は、テキストデータと、静止画像データと、動画像データと、音声データと、を含むことを特徴とする。
【００１５】
前記課題を解決するために創案された請求項８の発明は、請求項５ないし７の何れか一項に記載の携帯電話であって、前記通話先の携帯電話より受信した前記信号は、ＤＴＭＦ信号であることを特徴とする。
【００１６】
前記課題を解決するために創案された請求項９の発明は、電話網と、該電話網を介して通話可能な２つの携帯電話と、を備える携帯電話システムにおいて、前記２つの携帯電話が通話中の状態に該２つの携帯電話の一方が他方に所定の情報を表示させる方法であって、（ｉ）前記一方の携帯電話が前記他方の携帯電話に信号を送るステップと、（ｊ）前記他方の携帯電話が、前記一方の携帯電話より受け取った前記信号を基に、ダイアルコードを再生するステップと、（ｋ）前記他方の携帯電話が、前記再生したダイアルコードに対応する情報を取得するステップと、（ｌ）前記他方の携帯電話が、前記取得した情報を自身のディスプレイ装置に表示させるステップと、を含む表示方法。
【００１７】
前記課題を解決するために創案された請求項１０の発明は、請求項９に記載の表示方法であって、前記２つの携帯電話は、表示可能な情報の一覧を、それぞれダイアルコードに関連付けた状態で格納する情報記憶手段を有し、前記情報を取得するステップにおいて、前記他方の携帯電話は、自身の前記情報記憶手段より前記ダイアルコードに関連した前記情報を取得することを特徴とする。
【００１８】
前記課題を解決するために創案された請求項１１の発明は、請求項１０に記載の表示方法であって、前記信号を送るステップの前に、（ｍ）前記一方の携帯電話が、自身のディスプレイ装置に自身の前記情報記憶手段に格納された前記情報の一覧を表示させるステップと、（ｎ）前記一方の携帯電話が、前記表示させた情報の一覧から所望の情報を選択するステップと、（ｏ）前記一方の携帯電話が、前記選択した情報に対応する前記信号を生成するステップと、をさらに含むことを特徴とする。
【００１９】
前記課題を解決するために創案された請求項１２の発明は、請求項９ないし１１の何れか一項に記載の表示方法であって、前記情報は、テキストデータと、静止画像データと、動画像データと、音声データと、を含むことを特徴とする。
【００２０】
前記課題を解決するために創案された請求項１３の発明は、請求項９ないし１２の何れか一項に記載の表示方法であって、前記一方の携帯電話が前記他方の携帯電話に送る前記信号は、ＤＴＭＦ信号であることを特徴とする。
【００２１】
前記課題を解決するために創案された請求項１４の発明は、請求項９ないし１３の何れか一項に記載の表示方法を、前記２つの携帯電話に実行させることを特徴とするプログラムである。
【００２２】
請求項１の携帯電話システム、請求項５の携帯電話、請求項９の表示方法において、携帯電話に表示される情報は、当該携帯電話の記憶手段に予め格納されている。そして、通話先の携帯電話からの信号に応答して格納した情報を選択的に表示する。
【００２３】
したがって、表示させる情報を携帯電話間で転送する必要がない。それゆえ容量の大きい情報を表示させる場合でも短時間で行うことができる。さらに、ユーザが移動中などで、携帯電話が不安定な環境にある場合でも、確実にその携帯電話に情報を表示させることが可能である。
【００２４】
請求項２の携帯電話システム、請求項６の携帯電話、請求項１１の表示方法において、携帯電話は、自身の画面に表示可能な情報の一覧を表示させることができる。それにより、該携帯電話のユーザは該通話先の携帯電話に表示させる情報を事前に確認することが可能となる。また、情報の一覧が定期的に更新されたとしても、該通話先の携帯電話に確実に所望の情報を表示させることができる。
【００２５】
請求項３の携帯電話システム、請求項７の携帯電話、請求項１２の表示方法において、携帯電話が通話先の携帯電話の画面に所望のテキスト、静止画像、動画像を表示させ、更にスピーカから所望の音声を鳴らすことができる。これらの機能を有効に用いれば、携帯電話のユーザとその仲間や仕事相手とのコミュニケーションはより円滑となり、ユーザはより一層通話を楽しむことができる。
【００２６】
請求項４の携帯電話システム、請求項８の携帯電話、請求項１３の表示方法において、携帯電話が通話先の携帯電話の画面に所望の情報を表示させるためには、該携帯電話のユーザが所定の数個のボタンを押下げすればよく、複雑な操作を行う必要はない。よって、携帯電話の操作に慣れていないユーザでも、積極的に本発明の表示方法を使用することができ、さらにユーザが多忙で時間が無いときでも、本発明の表示方法を使用することが可能となる。
【００２７】
請求項１４のソフトウェアによって、上記の表示方法を任意の携帯電話に実行させることが可能となる。
【発明の効果】
【００２８】
本発明によって、通話中に携帯電話が単純な操作で、かつ短時間に通話先の携帯電話の画面に所望の情報を表示させる方法と、その方法を実行する携帯電話システムと、その携帯電話システムを構成する携帯電話と、上記方法を携帯電話に実行させるプログラムを提供することができる。
【発明を実施するための最良の形態】
【００２９】
添付の図面を参照して、以下に本発明の好適な一実施形態について説明する。
図１は、本発明の１実施形態に係る携帯電話システム１００の概略図である。この図に示すように、携帯電話システム１００は、第１の携帯電話１０と、第２の携帯電話２０と、当該第１および第２の携帯電話を通話可能に無線接続する電話網３０と、を備える。基本的に、これらの構成要素にはすべて既存のものを用いてよく、例えば、第１の携帯電話１０および第２の携帯電話２０には、液晶ディスプレイなどの表示装置を有し、テキスト、静止画像、動画像等を当該表示装置に表示可能な市販の携帯電話を用いてよい。また、電話網３０には、所定の通信事業サービスにより提供される加入電話回線ネットワークを用いてよい。
【００３０】
次に、図２を参照して、上記通信ネットワークシステム１００を構成する第１および第２の携帯電話１０、２０の機能について説明する。なお、本実施形態において第１の携帯電話１０と第２の携帯電話２０とは同一の機能を有している。よって第１の携帯電話１０の機能についてのみ説明を行い、第２の携帯電話２０の機能の説明は省略する。
【００３１】
第１の携帯電話１０は、その主な機能要素として、無線制御部１１０と、信号処理部１２０と、記憶部１３０と、ボタン操作部１４０と、表示部１５０と、コマンド実行部１６０と、を備える。
【００３２】
無線制御部１１０は、アンテナに連結され、該アンテナが受信した電磁信号から所定の周波数の信号を抽出して信号処理部１２０に入力し、かつ信号処理部１２０から受け取った信号を搬送波にのせて該アンテナ経由で出力する機能を有する。信号処理部１２０は、無線制御部１１０、ボタン操作部１４０などから入力された信号に所定の処理を施し、また、各信号をそれぞれの機能要素に振り分けて出力する機能を有する。記憶部１３０は、所定のデータやプログラムを格納する機能を有し、ハードディスク、メモリなどで構成される。ボタン操作部１４０は、ユーザに提供するインターフェース機能であり、ユーザはこの操作部を介してダイアル番号入力や画面操作等の入力操作を行う。表示部１５０は、液晶ディスプレイなどの表示装置を有し、所定の情報を該表示装置の画面に表示させる機能を有する。なお、これらの機能要素は、当該技術において周知のため詳細な説明は省略する。コマンド実行部１６０は、通信接続の制御、送信データの生成、受信データの表示、保存などを行う機能を有し、本実施形態に係る通話時情報表示実行部１７０を備える。
【００３３】
次に、図３を参照して、通話時情報表示実行部１７０の機能について説明する。通話時情報表示実行部１７０は、第１の携帯電話１０が第２の携帯電話２０と通話中に、トーン信号を用いて第２の携帯電話２０の画面にテキスト、静止画像、動画像などの情報を表示させると共に、第２の携帯電話２０から受信したトーン信号に基づいて自身の画面に情報を表示させる機能を有する。尚、本実施形態において、「トーン信号」はＤＴＭＦ（Dual-Tone Multi Frequency）信号であり、「情報」はテキストデータ、静止画像データ、動画像データ、あるいはこれらのデータの組み合わせを示す。
【００３４】
図３は、通話時情報表示実行部１７０の機能をブロック図で示している。図示のように、通話時情報表示実行部１７０は、情報記憶部１７１０と、情報一覧取得部１７２０と、ダイアルコード再生部１７３０と、表示用情報取得部１７４０と、情報表示部１７５０と、を備える。
【００３５】
情報記憶部１７１０は、通話先の携帯電話（本実施形態では第２の携帯電話２０）に表示可能な情報を格納するデータベース機能を有し、これらの情報はすべてダイアルコードと関連付けられた状態で格納されている。このデータベース機能の例は、図４を用いて後述する。尚、ダイアルコードとは、所定の形式で表されるコードであり、本実施形体では、ダイアルコードは、「＊０１」のように１つの記号「＊」と２つのランダムな数字との組み合わせで構成される。
【００３６】
情報一覧取得部１７２０は、情報記憶部１７１０にアクセスして、表示可能な情報の一覧を生成する機能を有する。生成した情報の一覧は、第１の携帯電話１０の画面に表示させるために、情報表示部１７５０に送る。
【００３７】
ダイアルコード再生部１７３０は、信号処理部１２０（図２参照）から入力された数字または記号を基にダイアルコードを再生する機能を有する。この場合、第１の携帯電話１０が第２の携帯電話２０からＤＴＭＦ信号を受信すると、信号処理部１２０がこのトーン信号を復調して、該トーン信号に対応する記号（例えば、＊、＃等）または０〜９の数字を生成し、コマンド実行部１６０の通話時情報表示実行部１７０に順次送付する。通話時情報表示実行部１７０内のダイアルコード再生部１７３０は、順次受け取った記号または数字を予め決められた形式に従って連結し、ダイアルコードを再生する。そして、この再生したダイアルコードを表示用情報取得部１７４０に送る。
【００３８】
表示用情報取得部１７４０は、ダイアルコード再生部１７３０から所定の形式のダイアルコードを受け取ると、情報記憶部１７１０にアクセスして、当該ダイアルコードに対応する情報を取得し、この情報を情報表示部１７５０に送る。
【００３９】
情報表示部１７５０は、表示部１５０（図２参照）とインターフェースする機能要素であり、情報一覧取得部１７２０および表示用情報取得部１７４０から受け取った情報を、所定の形式に変換して表示部１５０に送る。そして、表示部１５０は第１の携帯電話１０の画面にその情報を表示させる。
【００４０】
タイマー部１７６０は、情報表示部１７５０の機能の一部であり、第１の携帯電話１０の画面に所定の情報が表示された時間を予め決められた所定の期間（例えば１０秒）と比較し、表示時間が所定の期間を超えた場合には、表示部１５０に所定のコマンドを送ることで表示された情報を画面から消去させる。尚、この機能はオプションであり省略することが可能である。
【００４１】
図４は、情報記憶部１７１０に格納された情報の一覧の例を示している。この図に示すように、表には、１つのダイアルコードが一対のテキストデータおよび画像データに関連付けられている。また、表中の画像は、静止画像および動画像の何れでもよい。
尚、本発明では、情報の一覧の形式は特定の形式に限定されるものではなく、情報がダイアルコードに関連付けられていれば、如何なる形式を採用してもよい。
【００４２】
次に、図５のフローチャートを参照して、上記機能を有する携帯電話に実際に情報を表示させる手順について説明する。尚、以下の手順において、図１に示した携帯電話システム１００において、第１の携帯電話１０が、第２の携帯電話２０の画面に図４に示す情報を表示させる場合を想定する。
【００４３】
最初に前提条件として、この手順は第１および第２の携帯電話１０、２０が通話中に行われなくてはならない。よって、手順開始時は、双方の携帯電話は通話中である。また、この場合何れの携帯電話が発呼側であってもよい。
【００４４】
まず、第１の携帯電話１０のコマンド実行部１６０内の通話時情報表示実行部１７０において、情報一覧取得部１７２０が情報記憶部１７１０にアクセスし、表示可能な情報の一覧を取得する（ステップＳ１）。
【００４５】
情報の一覧を取得すると、情報一覧取得部１７２０はその情報一覧を情報表示部１７５０に送付する。情報表示部１７５０は受け取った情報一覧を所定の形式に変換した後、表示部１５０に送り、第１の携帯電話１０の画面にその情報一覧を表示させる（ステップＳ２）。ここで、画面に表示される一覧は、図４に示したような表となる。
【００４６】
次に、第１の携帯電話１０のユーザは、この画面に表示された一覧を参照して、第２の携帯電話２０に表示させる情報を選択し（ステップＳ３）、ボタン操作部１４０の対応する記号および数字のボタンを押下げする。本実施形態では、図４の表の一番上の行にある情報が選択され、「＊」「０」「１」のボタンが順に押下げられたと仮定する。
【００４７】
表示させる情報が選択されると、信号処理部１２０は選択された情報に対応するダイアルコード（本実施形態では「＊０１」）を符号化して、ＤＴＭＦ信号を生成する。生成されたＤＴＭＦ信号は、無線制御部１１０を経由して、第１の携帯電話１０から電波信号として第２の携帯電話２０宛に送られる（ステップＳ４）。
【００４８】
第２の携帯電話２０は、第１の携帯電話１０から出力された電波信号を受け取る（ステップＳ５）と、自身の信号処理部１２０が無線制御部１１０を経由して受け取ったＤＴＭＦ信号を復調して、符号化した信号をコマンド実行部１６０の通話時情報表示実行部１７０内のダイアルコード再生部１７３０に入力する。
【００４９】
そして、ダイアルコード再生部１７３０は、入力された信号からダイアルコードを再生する（ステップＳ６）。尚、本実施形態において、再生されるダイアルコードは「＊０１」である。
【００５０】
表示用情報取得部１７４０は情報記憶部１７１０にアクセスし、再生されたダイアルコードに対応する情報を取得する（ステップＳ７）。尚、本実施形体において、取得される情報は、図４に示す一覧表の一番上の行の記載のテキストおよび画像データである。次いで、表示用情報取得部１７４０は取得した情報を情報表示部１７５０に送付する。
【００５１】
情報表示部１７５０は、表示用情報取得部１７４０より受け取った情報を表示部１５０に所定の形式で送り、表示部１５０は第２の携帯電話２０の画面にその情報を表示する（ステップＳ８）。情報が画面に表示された例を図６に示す。このような状態で、第２の携帯電話２０のユーザは情報を確認することができる。
【００５２】
情報が画面に表示されると同時に、情報表示部１７５０内のタイマー部１７６０は該情報の表示された時間をカウントする。そして、表示時間が予め決められた所定の期間を超えているかどうかを判断する（ステップＳ９）。表示時間が所定の期間に到達していない場合には（ステップＳ９で「Ｎｏ」）、ステップＳ９の手順を繰り返す。一方、表示時間が所定の期間に到達した場合には（ステップＳ９で「Ｙｅｓ」）、タイマー部１７６０は表示部１５０に所定のコマンドを送る。表示部１５０は、タイマー部１７６０よりコマンドを受け取ると、第２の携帯電話２０の画面に表示している情報を消去する（ステップＳ１０）。
【００５３】
なお、情報表示部１７５０がタイマー部１７６０を有していない場合には、ステップＳ９およびＳ１０の手順は省略される。その場合には、画面に表示された情報を消去するために、第２の携帯電話２０のユーザが操作ボタンを押下げるなどの特定の動作を行う必要がある。
以上の手順により、通話中の２つの携帯電話において、一方の携帯電話が他の携帯電話の画面に所望の情報を表示させることが可能となる。
【００５４】
なお、第１の携帯電話１０および第２の携帯電話２０の情報記憶部１７１０に格納される情報は、予め特定のサービス業者から提供され、これらの情報は定期的に更新される構成とすることができる。その場合には、更新された情報は特定のサービス業者が運営するサイトからダウンロードする形態で提供され得る。また、第１の携帯電話１０と第２の携帯電話２０の情報記憶部１７３０にそれぞれ格納される情報は常に同一である必要があるため、更新された情報は特定のサービス業者の運営するサイトから第１および第２の携帯電話に自動的にダウンロードされる構成となっていることが好ましい。
【００５５】
情報は、上記のようにサービス業者から提供される構成に加え、ユーザが自由に設定できる構成にしてもよい。例えば、図４のダイアルコード「＊０１」〜「＊７９」に対応する情報はサービス業者が設定し、「＊８０」〜「＊９９」は、ユーザが自由に設定するようにする。それにより、特定の仲間、グループ、団体のメンバー間でのみ使用する専用の情報を作成することができ、より使用する上での自由度が増す。
【００５６】
本発明の一実施形態において、携帯電話の画面に表示される情報は、テキストデータ、静止画像データ、動画像データ、あるいはそれらの組み合わせから構成されると説明したが、本発明はそれに限定されるものではない。例えば、情報は音声データをさらに含んでよい。その場合、表示されているテキストデータや画像データに相応しい音楽が、通話に支障のないレベルで携帯電話のスピーカから流れるようにしてもよい。また、適切な効果音を用いて、携帯電話の画面にテキストや画像が表示されたことをユーザに知らせるようにしてもよい。
【００５７】
本発明の一実施形態に係る通話時情報表示実行部１７０が有する機能は、特定のハードウェア資源またはソフトウェア処理に限定されるものではない。すなわち、本発明の一実施形態に係る通話時情報表示実行部１７０はその機能を実現できる限り、如何なるハードウェア、ソフトウェア、あるいはそれらの組み合わせ等を用いてよい。
【００５８】
以上、本発明を図面に示した実施形態を用いて説明したが、これらは例示的なものに過ぎず、本技術分野の当業者ならば、本発明の範囲および趣旨から逸脱しない範囲で多様な変更および変形が可能なことは理解できるであろう。したがって、本発明の範囲は、説明された実施形態によって定められず、特許請求の範囲に記載された技術的趣旨により定められねばならない。
【図面の簡単な説明】
【００５９】
【図１】本発明の一実施形態に係る携帯電話システム１００の構成を示す図である。
【図２】本発明の一実施形態に係る第１の携帯電話１０または第２の携帯電話２０の機能を示すブロック図である。
【図３】図２に示す通話時情報表示実行部１７０の機能を示すブロック図である。
【図４】図３に示す情報記憶部が格納する情報の一覧の一例である。
【図５】本発明の一実施形態に係る、第１の携帯電話１０が第２の携帯電話２０の画面に所望の情報を表示させる手順のフロー図である。
【図６】第２の携帯電話の画面に情報が表示された例を示す図である。
【符号の説明】
【００６０】
１０    第１の携帯電話
２０    第２の携帯電話
３０    電話網
１００  携帯電話システム
１７０  通話時情報表示実行部
１７１０  情報記憶部
１７２０  情報一覧取得部
１７３０  ダイアルコード再生部
１７４０  表示用情報取得部
１７５０  情報表示部
【図１】
2009260858.tif 000003
【図２】
2009260858.tif 000004
【図３】
2009260858.tif 000005
【図４】
2009260858.tif 000006
【図５】
2009260858.tif 000007
【図６】
2009260858.tif 000008